(57)【要約】【課題】電解水散布装置６によって散布された電解水が、除菌・清掃効果を効率的に発揮するように、送風機１５と電解水散布装置６の制御を行うことが可能な浴室換気扇１を提供する。【解決手段】浴室内を換気する送風機１５及び除菌・清掃効果を有する電解水を浴室内に散布する電解水散布装置６の運転条件を設定する操作部２８と、操作部２８で設定した運転条件に応じて、送風機１５及び電解水散布装置６を駆動制御する制御部２６を設ける。【選択図】        図１
2006292183.tif 000002
【特許請求の範囲】
【請求項１】
本体に形成された吸気口及び排気口と、本体内に配設され、吸気口から本体内に吸い込んだ空気を排気口を介して本体外へ排気する羽根車及び羽根車を回転させる電動機から構成された送風機と、本体内に配設され、浴室内へ電解水を散布する電解水散布装置と、送風機及び電解水散布装置の運転条件を設定するための操作部と、操作部で設定された運転条件に応じて送風機及び電解水散布装置を駆動制御する制御部とを備えたことを特徴とする浴室換気扇。
【請求項２】
前記制御部は、電解水散布装置の作動停止から所定時間経過後に送風機を作動させることを特徴とする請求項１記載の浴室換気扇。
【請求項３】
前記制御部は、「換気運転モード」と、「電解水散布運転モード」を有し、「換気運転モード」が前記操作部により選択された時には、送風機のみを駆動し、「電解水散布運転モード」が前記操作部により選択された時には、電解水散布装置を作動させ電解水散布装置の作動停止から所定時間経過後に送風機を作動させることを特徴とする請求項１記載の浴室換気扇。
【請求項４】
前記制御部は、送風機及び電解水散布装置を同時に作動させる「換気扇掃除運転モード」を有することを特徴とする請求項１記載の浴室換気扇。
【発明の詳細な説明】
【技術分野】
【０００１】
本発明は、浴室換気扇に関するものである。
【背景技術】
【０００２】
この種の浴室換気扇においては、浴室換気扇と一体的に形成された電解水散布装置によって、浴室内に電解水を散布することにより浴室内の除菌・清掃を行うものがある。（特許文献１）
【特許文献１】特開２００１−２５４４５号公報
【発明の開示】
【発明が解決しようとする課題】
【０００３】
しかしながら、電解水を散布する電解水散布装置と換気扇の駆動制御の関係については、特許文献１には格別な記載はされておらず、電解水の散布と換気扇による換気が同時に行われた場合には、浴室内の除菌・清掃のために散布した電解水が、浴室内壁等に到着する前に換気扇の駆動により浴室外に排気されてしまう虞があった。
【０００４】
また、換気扇が駆動することにより、散布された電解水が浴室内壁等に充分浸透し内壁等に付着した黴や汚れを除菌・清掃するまえに乾燥してしまい、充分に浴室内を清掃・除菌を行えない虞があった。
【０００５】
本発明は、このような問題を解決する為になされたものであり、電解水散布装置によって散布された電解水の効力を効率的に発揮するように、換気扇と電解水散布装置の制御を行うことが可能な浴室換気扇を提供しようとするものである。
【課題を解決するための手段】
【０００６】
上記課題を解決するための請求項１に記載の浴室換気扇は、本体に形成された吸気口及び排気口と、本体内に配設され、吸気口から本体内に吸い込んだ空気を排気口を介して本体外へ排気する羽根車及び羽根車を回転させる電動機から構成された送風機と、本体内に配設され、浴室内へ電解水を散布する電解水散布装置と、送風機及び電解水散布装置の運転条件を設定するための操作部と、操作部で設定された運転条件に応じて送風機及び電解水散布装置を駆動制御する制御部とを備えたことを特徴とする。
【０００７】
請求項２に記載の浴室換気扇は、請求項１において、前記制御部は、電解水散布装置の作動停止から所定時間経過後に送風機を作動させることを特徴とする。
【０００８】
請求項３に記載の浴室換気扇は、請求項１において、前記制御部は、「換気運転モード」と、「電解水散布運転モード」を有し、「換気運転モード」が前記操作部により選択された時には、送風機のみを駆動し、「電解水散布運転モード」が前記操作部により選択された時には、電解水散布装置を作動させ電解水散布装置の作動停止から所定時間経過後に送風機を作動させることを特徴とする。
【０００９】
請求項４に記載の浴室換気扇は、請求項１において、前記制御部は、送風機及び電解水散布装置を同時に作動させる「換気扇掃除運転モード」を有することを特徴とする。
【発明の効果】
【００１０】
本発明の請求項１の構成によれば、浴室内を換気する送風機及び除菌・清掃効果を有する電解水を浴室内に散布する電解水散布装置の運転条件を設定する操作部と、送風機及び電解水散布装置を駆動制御する制御部を設けることにより、操作部で設定した運転条件に応じて、送風機及び電解水散布装置を作動させることができる。
【００１１】
本発明の請求項２の構成によれば、浴室内に電解水を散布した後、散布された電解水が浴室の内壁等に付着したまま所定時間放置されることとなり、送風機によって換気する前に、電解水を内壁等に充分に浸透させ黴や汚れを除菌・清掃することができる。
【００１２】
本発明の請求項３の構成によれば、「換気運転モード」が設定された際は、電解水の散布は行わず浴室内を換気し、「電解水散布運転モード」が設定された際は、電解水の散布して浴室内を除菌・清掃した後に、浴室内を換気することができ、選択したモードに応じて電解水を散布させることができる。
【００１３】
本発明の請求項４の構成によれば、「換気扇掃除運転モード」が設定された際、送風機及び電解水散布装置を同時に作動されることで、電解水散布装置によって散布された電解水が、送風機の駆動によって本体内に吸気され、本体内を除菌・清掃することができる。
【発明を実施するための最良の形態】
【００１４】
次に図面を参照しながら本発明を詳細に説明する。図1は本発明の一実施形態の浴室換気扇の断面図、図２は浴室に浴室換気扇を取り付けた様子を示す図、図３は制御ブロック図である。
【００１５】
図１乃至図３に示すように、浴室換気扇１は、天井２に形成された取付孔３から天井裏に突出して配設されており、下方を開口する箱型に形成された本体４と、該本体４の下方の開口を着脱自在に覆う吸込みグリル５と、前記本体４側面に配設され浴室内に電解水を散布する電解水散布装置６と、前記本体４側面に取り付けられるダクト接手７とから構成されている。
【００１６】
前記本体４は、下面が吸気口８として開口されており、吸気口８周縁にフランジ部９が形成されており、該フランジ部９は、本体４を天井裏の所定位置まで押し上げた際に天井２の下面に当接するように形成されている。
【００１７】
前記本体４は、仕切壁１０により上下２室に分離されており、本体上部室４ａは送風機取付部として構成され、本体下部室４ｂは前記吸込みグリル５の取付部として構成されている。
【００１８】
前記本体上部室４ａ上部には、上方に向かって電動機収納室１１が突出形成されており、該電動機収納室１１には、電動機１２が回転軸１３を下方に向けて配設されている。１４は前記本体上部室４ａ内に配設される羽根車で、前記電動機１２の回転軸１３に固定されており、前記電動機１２及び羽根車１４により送風機１５を構成している。
【００１９】
前記本体４の本体上部室４ａ側面には、排気口２０が形成されており、この排気口２０が形成された側面に前記ダクト接手７が固定され、該ダクト接手７に、排気ダクト２１が取り付けられるようになっている。２２は前記ダクト接手７内に取り付けられる風圧式シャッターで、排気時に風圧により開放され、非排気時には自重、またはバネ力などによりダクト接手７内の風路を閉塞するようになっている。
【００２０】
また、前記仕切壁１０には、羽根車１４への吸込口２３が形成されており、羽根車１４の回転により、本体４下面の吸気口８及び仕切壁１０の吸込口２３を介して浴室の空気を吸引し、排気口２０からダクト接手７及び排気ダクト２１を介して屋外に排気するようになっている。
【００２１】
前記電解水散布装置６は、図１、図２に示すように、規定量（たとえば、３０００ｃｃ程度）の水を貯め、貯めた水を電解する電解部２４と、該電解部２４の上部に形成され電解部２４に水を供給するための水を貯水する貯水部２５とから構成されている。前記貯水部２５は、水道に接続され、貯水部２５内の水が少なくなると、水道から自動的に給水されるようになっている。
【００２２】
前記電解部２４は、電解部２４内に図示しない一対の電極板を配設しており、一対の電極板を通電することにより電解部２４内に貯めた水を電解し、電解水を生成するようになっている。前記１対の電極板は、たとえば、チタンまたはルテニウム系材料に白金をコーティングし、その外側にイリジウムをコーティングすることにより形成され、この１対の電極板は、左右方向に互いに一定間隔を空けて配置されている。前記電極板は、それぞれ配線を介して制御部２６に電気的に接続されている。２７は前記電解部２４に形成された噴霧口で、該噴霧口２７から図示しないポンプにより電解部２４内の電解水をミスト状に浴室内に噴霧するようになっている。
【００２３】
図３に示すように、操作部２８は、浴室換気扇１の運転モードを選択するスイッチ（図示せず）を有し、制御部２６は前記操作部２８で選択された運転モードに基づいて送風機１５及び電解水散布装置６を制御する。前記制御部２６は、操作部２８の操作により、浴室内を換気する「換気運転モード」、浴室内を除菌したあと換気する「電解水散布運転モード」、換気扇を除菌する「換気扇掃除運転モード」等に運転を切り替えるようになっている。
【００２４】
「換気運転モード」の時は、電解水散布装置６は作動させず、送風機１５のみ所定時間（６０分程度）作動させる。この運転条件により、浴室内の湿った空気を換気でき、浴室内を乾燥させることができる。
【００２５】
「電解水散布運転モード」の時は、電解水散布装置６を作動させ、電解水散布装置６の作動停止から所定時間（１０分程度）経過後に送風機１５を作動させる。この運転条件により、初めに浴室内に電解水を散布し、電解水を散布した状態で所定時間放置することにより、散布された電解水が浴室内壁等に充分に浸透し、内壁等に付着した黴や汚れを除菌・清掃できた後、浴室内を乾燥させることができる。そのため、散布された電解水が殺菌・清掃効果を充分に発揮することができる。
【００２６】
「換気扇掃除運転モード」の時は、電解水散布装置６及び送風機１５を所定時間作動させる。この運転条件により、電解水散布装置６によって散布された電解水は、送風機１５の駆動によって浴室換気扇の本体４内に吸気され、本体４内を除菌・清掃することができる。送風機１５は電解水散布装置６の駆動終了後、本体４内を乾燥させるため所定時間作動するようにしてもよい。
【図面の簡単な説明】
【００２７】
【図１】本発明の一実施形態の浴室換気扇の断面図である。
【図２】浴室換気扇を取り付けた浴室の概念図である。
【図３】制御ブロック図である。
【符号の説明】
【００２８】
１    浴室換気扇
４    本体
６    電解水散布装置
８    吸気口
１２  電動機
１４  羽根車
１５  送風機
２０  排気口
２６  制御部
２８  操作部
【図１】
2006292183.tif 000003
【図２】
2006292183.tif 000004
【図３】
2006292183.tif 000005